(57)【要約】【課題】  同軸レセプタクルに対して簡単に装着でき、かつ不意に外れることのない構造を有する同軸プラグを提供することを目的とする。【解決手段】  同軸ケーブルの編組と絶縁層との間に差し込まれるフェルール１と、このフェルールに回転自在に嵌装される接続体２と、このフェルールの外周に嵌装されて前記接続体を前記フェルール上の所定位置に保持する外環３と、前記フェルールに対して前記同軸ケーブルの編組および外被を固定するカシメ部材４と、前記接続体の内周に嵌装される鼓状バネ５と、前記接続体の開口端に設けられレセプタクルに係止する戻り防止バネ７と、この戻り防止バネを押圧して前記レセプタクルとの係止状態を解く取外しリング６とをそなえた高周波同軸プラグ。【選択図】  図１
0003115306.tif 000002
【実用新案登録請求の範囲】
【請求項１】
同軸ケーブルの編組と絶縁層との間に差し込まれるフェルールと、
このフェルールに回転自在に嵌装される接続体と、
このフェルールの外周に嵌装されて前記接続体を前記フェルール上の所定位置に保持する外環と、
前記フェルールに対して前記同軸ケーブルの編組および外被を固定するカシメ部材と、
前記接続体の内周に嵌装される鼓状バネと、
前記接続体の開口端に設けられレセプタクルに係止する戻り防止バネと、
この戻り防止バネを押圧して前記レセプタクルとの係止状態を解く取外しリングと
をそなえた高周波同軸プラグ。
【請求項２】
請求項1記載の高周波同軸プラグにおいて、
前記取外しリングは、一端に前記戻り防止バネに当接し得る縁部を有し、前記接続体の外周に軸方向移動可能に嵌装されていることを特徴とする高周波同軸プラグ。
【請求項３】
請求項１記載の高周波同軸プラグにおいて、
前記取外しリングは、内周面に突起を有し、前記接続体に設けられた溝に前記突起が緩く係合することにより前記接続体上を軸方向に移動可能に支持されたことを特徴とする高周波同軸プラグ。
【請求項４】
請求項1記載の高周波同軸プラグにおいて、
前記取外しリングは、前記レセプタクルのねじ山端に係止する歯形突起群を有することを特徴とする高周波同軸プラグ。
【請求項５】
請求項1記載の高周波同軸プラグにおいて、
前記取外しリングは、前記レセプタクルのねじ溝に係合する螺旋状突起群を有することを特徴とする高周波同軸プラグ。
【考案の詳細な説明】
【技術分野】
【０００１】
本考案は、高周波同軸プラグに係わり、とくに同軸レセプタクルに対して簡単に装着でき、かつ不意に外れることのない構造を有するものに関する。
【背景技術】
【０００２】
テレビジョン信号の伝送に用いる同軸ケーブルを機器に接続するには、同軸ケーブルを使用している。
【０００３】
図７は、従来のＦ型同軸コネクタにつき、接栓２０が同軸ケーブル１０に固定される内部構造を示したものである。同軸ケーブル１０の芯線１１は接栓２０の内部導体を兼ねるものであり、同軸ケーブル１０の絶縁層１２と編組１３との間に、円筒状部材２１が介挿された状態で、外被１４の上から編組１３とともにカシメリング２２によって締め付けられて、接栓２０が同軸ケーブル１０に固定される。
【０００４】
図８は、接栓２０に同軸ケーブル１０を接続する前の状態を示したものである。接栓２０は、円筒状のガイド部２１に接続ナット２３が回動自在な状態にかしめ固定されている。
【０００５】
ガイド部２１は、円筒状部材２１ａの先端(図示下端)が縦断面くさび状に形成されており、同軸ケーブル１０の絶縁層１２と編組１３との間に進入し易い形となっている。そして、円筒状部材２１ａの他端寄り位置には先端に向かって折り返された形状の突き当て部２１ｂが形成されており、同軸ケーブル１０の編組１３を介して外被１４の端部が当接する。
【０００６】
さらに、円筒状部材２１ａの基端(図示上端)は、円筒状部材２１ａが延長された形状に形成されており、接続ナット２３を回動自在に保持している。
【特許文献１】実用新案登録第3098950号公報
【考案の開示】
【考案が解決しようとする課題】
【０００７】
ここで、同軸コネクタには、上記のようにねじのあるもの（Ｃ１５形）と、ねじのないもの（Ｃ１３形）とがあり、それぞれ一長一短がある。すなわち、ねじ部のあるＣ１５形は接続が確実で、ケーブルを引っ張った程度では接続が外れないこと、ねじの締め付けによりレセプタクルとプラグとが金属部分同士で確実に接触し電波漏れが少ないことが長所である。反面、ねじを回す作業に時間を要し、作業性が悪いことが短所である。
【０００８】
そして、Ｃ１３形は、Ｃ１５形の長所が短所に、短所が長所になる関係にある。
【０００９】
本考案は上述の点を考慮してなされたもので、同軸レセプタクルに対して簡単に装着でき、かつ不意に外れることのない構造を有する同軸プラグを提供することを目的とする。
【課題を解決するための手段】
【００１０】
上記目的達成のため、本考案では、
同軸ケーブルの編組と絶縁層との間に差し込まれるフェルールと、
このフェルールに回転自在に嵌装されるリングと、
このフェルールの外周に嵌装されて前記リングを前記フェルール上の所定位置に保持する外環と、
前記フェルールに対して前記同軸ケーブルの編組および外被を固定するカシメ部材と、
前記リングの内周に嵌装される鼓状バネと、
前記リングの開口端に設けられレセプタクルに係止する戻り防止バネと、
この戻り防止バネを押圧して前記レセプタクルとの係止状態を解く取外しリングと
をそなえた高周波同軸プラグ、
を提供するものである。
【考案の効果】
【００１１】
本考案は上述のように、同軸ケーブルに差し込まれるフェルールにリングを回動自在に取り付け、このリングの内部に鼓状バネを配してねじ部のあるものおよびないものに対応できるようにするとともに、リングの開口端に戻り防止バネおよび取外しリングを配してあるため、不意な力が加わっても簡単に外れずしかも外し操作を行えば簡単に外れる同軸プラグを提供することができる。
【考案を実施するための最良の形態】
【００１２】
以下、図１ないし図５を参照して本考案の実施形態を説明する。  
【実施形態１】
【００１３】
図１は、本考案の実施形態１を示す分解斜視図である。この図1は、同軸ケーブル１００の端部に組み付けられて同軸プラグを構成する各要素を分解して示している。
【００１４】
同軸ケーブル１００は、心線１０１、絶縁層１０２、編組１０３および外被１０４により構成されており、心線１０１は同軸プラグの中心導体となり、編組１０３が同軸プラグの外側導体に接続される。
【００１５】
このために、全体形状がほぼ円筒状のフェルール１が同軸ケーブル１００の図示左側から差し込まれ、絶縁層１０２と編組１０３との間に挿入される。フェルール１は、図示左側端にフランジを、また図示右側端にテーパ部を有する。
【００１６】
フェルール１は、同軸ケーブル１００の絶縁層１０２の端面位置に、図示左端面を位置合せして取り付けられるのであるが、その外周上に円筒状の接続体２、外環３およびカシメリング４が図示左方向に嵌装される。そして、フェルール１のフランジは、接続体２の図示左側端面に係合して接続体２をフェルール１に対して回転自在に係合する。また、フェルール１のテーパ部は、同軸ケーブル１００の絶縁層１０２と編組１０３との間に差し込まれる際に、楔機能を果たす。更に、フェルール１の中央にある円筒部は、図示左から右に向かって徐々に径が小さくなっており、図示左寄りの位置で外環３の図示左端面に開けられた穴が嵌合、固定され、図示右寄りの位置でカシメリング４により同軸ケーブル１００の編組１０３および外被１０４が固定される。接続体２の内周面には、鼓状の内バネ５が装着される。
【００１７】
フェルール１の図示左側端には、戻り防止リング７が圧入リング８によって固定され、さらに接続体２の外周に取外し用リング６が圧入方式で嵌装される。
【００１８】
図２は、図1に示した各要素を組み上げた状態を一部縦断面として示したものである。同軸ケーブル１００の絶縁層１０２と編組１０３との間にフェルール１が差し込まれており、フェルール１の図示左端に接続体２が回動可能に係合し、外環３が嵌合、固定されており、フェルール１のほぼ中央部がカシメリング４により同軸ケーブル１００の外被１０４の外側からカシメられている。
【００１９】
一方、接続体２の内周には鼓状の内バネ５が装着され、また、接続体２の図示左端には戻り防止リング７が圧入リング８によって固定されている。そして、接続体２の外周上には取外し用リング６が軸方向移動可能に取り付けられている。
【００２０】
図３は、図２の状態を示した部分縦断面図である。この図３では、接続体２に対する内バネ５、取外し用リング６および戻り防止バネ７の装着状態が明示されている。
【００２１】
内バネ５は、全体形状としては両端が円形で中央が鼓状に窪み、かつ中央部に軸方向に延びる切欠きが形成されていて、接続体２の内周面に形成された嵌め込み部に装着される。
【００２２】
取外し用リング６は、接続体２の外周よりも若干大きな内周を有するほぼ円筒状に形成され、図示左側端部が接続体２の図示左側端面を抱え込むように断面コ字状に形成されている。この断面コ字状部の内側端６１は、戻り防止バネ７の先端つまり内側端寄りに当接して戻り防止バネ７の内周縁が形成する円の径を押し広げるものである。また、取外し用リング６は、その内周面に適当数の突起６２を有しており、この突起６２が接続体２の外周面に設けられた溝２１に嵌入すると、取外し用リング６をある程度乱暴に動かしても簡単には外れない。
【００２３】
戻り防止バネ７は、接続体２の図示左側端に嵌め込まれる圧入リング８によって固定されている。この戻り防止バネ７は、同軸レセプタクルの基部に形成されているねじ溝とか凹部に係止して、同軸プラグが外れないように保持するためのものである。そして、取外しリング６を図示右方向に移動させると、その内側端６１が戻り防止バネ７の先端つまり内側端寄りの部分を押して内側端６１を結んだ円の径が押し広げられ、同軸レセプタクルのねじ溝とか凹部から外れて同軸プラグを取り外せる状態となる。すなわち、取外しリングを図示右方向に引き抜くワンタッチ動作で、同軸プラグを取り外すことができる。
【００２４】
図４(a)，(b)および図５は、上記同軸プラグを同軸レセプタクルに接続した状態を示したもので、図４(a)，(b)はねじ無しの同軸レセプタクルの場合を、図５はねじ有りの同軸レセプタクルの場合をそれぞれ示している。
【００２５】
図４(a)に示すねじ無しの場合は、図４(b)に示すように戻り防止ばね７の先端の尖った部分が同軸レセプタクルの外側導体に食い込んだ形となって機械的、電気的に接続される。また、図５に示すねじ有りの場合は、戻り防止バネ７の先端が同軸レセプタクルのねじ溝に係合して機械的、電気的に接続される。
【実施形態２】
【００２６】
図６(a)，(b)は、戻り防止バネ７の２つの例を示したものである。図６(a)は、戻り防止バネ７の内側端を結んだ線が円形になるものを示し、図６(b)は、渦巻形になるものを示している。何れも同軸レセプタクルがねじ式のものであってもそうでなくても適用できるが、強いていえば図６(a)のものはねじ無しのものに適し、図６(b)のものはねじ有りのものに適している。
【図面の簡単な説明】
【００２７】
【図１】本考案の実施形態１の構成を示す分解斜視図。
【図２】同じく実施形態１の組立状態を示す部分断面透視図。
【図３】同じく実施形態１の組立状態を示す部分断面図。
【図４】図４(a)，(b)は、ねじ無し同軸レセプタクルに実施形態１を接続した状態を示す縦断面図。
【図５】図５は、ねじ有り同軸レセプタクルに実施形態１を接続した状態を示す縦断面図。
【図６】図６(a)，(b)は、戻り防止バネの構成例２つを示す斜視図。
【図７】従来のＦ型同軸接栓を示す縦断面図。
【図８】図7に示した接栓の分解断面図。
【符号の説明】
【００２８】
１  フェルール
２  接続体
３  外環
４  カシメリング
５  内バネ
６  取外しリング
７  戻り防止リング
８  圧入リング
１００  同軸ケーブル
１０１  心線
１０２  絶縁層
１０３  編組
１０４  外被
【図１】
0003115306.tif 000003
【図２】
0003115306.tif 000004
【図３】
0003115306.tif 000005
【図４】
0003115306.tif 000006
【図５】
0003115306.tif 000007
【図６】
0003115306.tif 000008
【図７】
0003115306.tif 000009
【図８】
0003115306.tif 000010